(57)【特許請求の範囲】
【請求項１】
ケーシングの開口部の内周部にカバー取付板をビス止めして取付けてケーシングとカバー取付板とで弾性を備えた防水カバーを挟持し、ケーシング内にスイッチを備えた基板を収納し、防水カバーに上記スイッチに当接するスイッチ操作部を設けるとともにスイッチ操作部とは反対側に被押圧部を延出し、ケーシングに操作ボタンを押し込み操作自在に設け、ケーシングの内側より操作ボタンの内面側の取付け孔にビスをねじ込んでワッシャを取付け、ワッシャをケーシングの内面に当接させるとともに被押圧部に押圧操作自在に対向させて成ることを特徴とする防水スイッチ。
【請求項２】
基板に発光素子を設け、防水カバー及び操作ボタンは透光性を備えて成ることを特徴とする請求項１記載の防水スイッチ。
【発明の詳細な説明】
【０００１】
【発明の属する技術分野】
本発明は、浴室内等で使用される防水スイッチに関し、詳しくは、外観を高めるとともに操作性を高めようとする技術に係るものである。
【０００２】
【従来の技術】
従来、浴室内で使用される防水スイッチは、図３に示すように、ケーシング１内に収納されている基板４のスイッチ２に対向させて操作ボタン８を配設し、この操作ボタン８を覆うようにケーシング１の全面に透明の防水シートＳを貼着するものである。
【０００３】
【発明が解決しようとする課題】
ところが、このような構成によれば、ケーシング１の全面に防水シートＳを貼着していて、防水スイッチの外観が低下するとともに操作感も悪くなるなどという問題があった。
【０００４】
本発明はこのよう問題を解消しようとするものであり、外観を高めるとともに操作性を高めることができる防水スイッチを提供することを課題とするものである。
【０００５】
【課題を解決するための手段】
請求項１においては、ケーシング１の開口部５の内周部にカバー取付板９をビス止めして取付けてケーシング１とカバー取付板９とで弾性を備えた防水カバー６を挟持し、ケーシング１内にスイッチ２を備えた基板４を収納し、防水カバー６に上記スイッチ２に当接するスイッチ操作部７を設けるとともにスイッチ操作部７とは反対側に被押圧部１６を延出し、ケーシング１に操作ボタン８を押し込み操作自在に設け、ケーシング１の内側より操作ボタン８の内面側の取付け孔１９にビス２０をねじ込んでワッシャ２１を取付け、ワッシャ２１をケーシング１の内面に当接させるとともに被押圧部１６に押圧操作自在に対向させてあることを特徴とするものである。
【０００６】
このような構成によれば、操作ボタン８は外部に現れていて、従来のように全面に防水シートＳを貼着する構成のものに比べて外観を高めるものであり、且つ、外部に現れている操作ボタン８を操作して弾性を備えている防水カバー６に形成してあるスイッチ操作部７を押圧してスイッチ２を操作するのであり、全面に防水シートＳを設ける構成のものに比べて操作感を高めるものである。
しかも、防水カバー６の取付け強度を充分なものとするものである。
【０００９】
【発明の実施の形態】
以下、本発明の実施の形態を図面に基づいて説明する。図１は参考例の断面図である。
【００１０】
例えば、浴室の壁に埋設されるケーシング１内にスイッチ２、発光素子３及び回路部などを備えている基板４を収納して、取付脚１０を介してビス１１にて固定している。
【００１１】
ケーシング１の開口部５に弾性及び透光性を備えた防水カバー６を配設し、外周枠１２をケーシング１に外嵌させて防水カバー６の周部を挟持してケーシング１の防水を図っている。又、ケーシング１から基板４の通孔１３を通過してボス１４が突設され、ボス１４にて防水カバー６を支持している。
【００１２】
防水カバー６の中央部にはスイッチ操作部７を突出させて基板４のスイッチ２に対向させている。スイッチ操作部７とは反対側に円筒状の被押圧部１６が延出している。防水カバー６には凹所１５が形成されて発光素子３を収納している。操作ボタン８は透明又は半透明の合成樹脂成形品であり、中央部に円筒状の押圧部１７を形成している。しかして、操作ボタン８の押圧部１７を防水カバー６の被押圧部１６に当接させるとともに操作ボタン８の外周部を外周枠１２で押さえることで、操作ボタン８をケーシング１に取付けてある。
【００１３】
しかして、操作ボタン８を押圧操作することで、操作ボタン８の押圧部１７で防水カバー６の被押圧部１６を介してスイッチ操作部７を押圧してスイッチ２を押圧して投入するのである。この場合、図１（ｂ）に示すように、被押圧部１６を弾性変形させていて、その弾性復元力を利用して操作ボタン８を元の位置に復帰させるのである。
【００１４】
このような構成によれば、操作ボタン８は外部に現れていて、従来のように全面に防水シートＳを貼着する構成のものに比べて外観を高めるのである。そして、外部に現れている操作ボタン８を操作して弾性を備えている防水カバー６に形成してあるスイッチ操作部７を押圧してスイッチ２を操作するのであり、全面に防水シートＳを設ける構成のものに比べて操作感を高めるのである。
【００１５】
図２は本発明の実施の形態の断面図を示している。但し、その基本構成は参考例と同じであり、同一の構成のものには同じ符号を付して説明は省略する。
【００１６】
本実施の形態においては、防水カバー６はケーシング１と、ケーシング１の開口部５の内周部にビス１８にて取付けられたカバー取付板９とで挟持されている。又、操作ボタン８の取付け孔１９にはビス２０がねじ込まれ、ケーシング１の内面に当接させているワッシャ２１側に防水カバー６を引き寄せて防水カバー６をケーシング１に取付けるのである。この場合、ケーシング１は半割形態になされているものである。
【００１７】
本実施の形態においては、防水カバー６の取付け強度を充分なものにできるのである。
【００１８】
【発明の効果】
請求項１においては、ケーシングの開口部の内周部にカバー取付板をビス止めして取付けてケーシングとカバー取付板とで弾性を備えた防水カバーを挟持し、ケーシング内にスイッチを備えた基板を収納し、防水カバーに上記スイッチに当接するスイッチ操作部を設けるとともにスイッチ操作部とは反対側に被押圧部を延出し、ケーシングに操作ボタンを押し込み操作自在に設け、ケーシングの内側より操作ボタンの内面側の取付け孔にビスをねじ込んでワッシャを取付け、ワッシャをケーシングの内面に当接させるとともに被押圧部に押圧操作自在に対向させてあるから、操作ボタンは外部に現れていて、従来のように全面に防水シートを貼着する構成のものに比べて外観を高めることができ、且つ、外部に現れている操作ボタンを操作して弾性を備えている防水カバーに形成してあるスイッチ操作部を押圧してスイッチを操作するのであり、全面に防水シートを設ける構成のものに比べて操作感を高めることができるという利点がある。
更に、防水カバーの取付け強度を充分なものにできるという利点がある。
【図面の簡単な説明】
【図１】  本発明の参考例を示し、（ａ）は断面図、（ｂ）は説明図である。
【図２】  本発明の実施の形態を示す断面図である。
【図３】  従来例の概略断面図である。
【符号の説明】
１    ケーシング
２    スイッチ
３    発光素子
４    基板
５    開口部
６    防水カバー
７    スイッチ操作部
８    操作ボタン
９    カバー取付板
２０ ビス
２１ ワッシャ
【図１】
0003718993.tif 000002
【図２】
0003718993.tif 000003
【図３】
0003718993.tif 000004